(57)【要約】【課題】暗い場所、遠い場所からも良く見える筆記ボードの提供。【解決手段】端部に接続された光源からフィルム内に入射した光を伝搬する導光フィルムと、該導光フィルムの表面に付着した際に導光フィルム内を伝搬している光をフィルム表面から出射させる拡散剤を含む拡散剤入インクを筆記具本体内に塗布可能に収容した筆記具とを有することを特徴とする筆記ボード。前記拡散剤は、前記導光フィルムの屈折率よりも高い屈折率を持つ微粒子であることが好ましい。【選択図】図１
2009000903.tif 000002
【特許請求の範囲】
【請求項１】
端部に接続された光源からフィルム内に入射した光を伝搬する導光フィルムと、該導光フィルムの表面に付着した際に導光フィルム内を伝搬している光をフィルム表面から出射させる拡散剤を含む拡散剤入インクを筆記具本体内に塗布可能に収容した筆記具とを有することを特徴とする筆記ボード。
【請求項２】
前記拡散剤が、前記導光フィルムの屈折率よりも高い屈折率を持つ微粒子であることを特徴とする請求項１に記載の筆記ボード。
【発明の詳細な説明】
【技術分野】
【０００１】
本発明は、オフィス、学校、研究機関等で使用されるホワイトボード、駅等の掲示板（伝言板）や広告パネル等に適用される筆記ボードに関する。
【背景技術】
【０００２】
従来、オフィス、学校、研究機関等で使用される一般的なホワイトボードとしては、白色の筆記面に、フェルトペンで筆記するタイプのものが提供されている。この従来のホワイトボードは、白色の筆記面にフェルトペンのインクを塗布し、該インクに含まれる着色顔料（黒、赤、青、緑）が筆記面に残ることで、筆記面に描いた文字や数字等が見えるようになっている。
【０００３】
また、教室等で使用される黒板は、黒色や濃緑色などの筆記面に、白色系のチョークで筆記することで、筆記面に白色のチョーク粉を残し、筆記面に描いた文字や数字等が見えるようになっている。なお、使用するチョークは白色が主体であり、白色に赤色や黄色等の着色を施したものもある。
【０００４】
なお、本発明者らが、本発明に直接関連する従来技術を調査（キーワード：導光フィルム）した結果、該当する従来技術が確認できなかった。
【発明の開示】
【発明が解決しようとする課題】
【０００５】
前述した従来のホワイトボードや黒板では、照明の暗い場所や遠距離からでは、描かれた字が良く見えないという問題がある。
【０００６】
本発明は、前記事情に鑑みてなされ、暗い場所、遠い場所からも良く見える筆記ボードの提供を目的とする。
【課題を解決するための手段】
【０００７】
前記目的を達成するため、本発明は、端部に接続された光源からフィルム内に入射した光を伝搬する導光フィルムと、該導光フィルムの表面に付着した際に導光フィルム内を伝搬している光をフィルム表面から出射させる拡散剤を含む拡散剤入インクを筆記具本体内に塗布可能に収容した筆記具とを有することを特徴とする筆記ボードを提供する。
【０００８】
本発明の筆記ボードにおいて、前記拡散剤が、前記導光フィルムの屈折率よりも高い屈折率を持つ微粒子であることが好ましい。
【発明の効果】
【０００９】
本発明の筆記ボードは、導光フィルムの表面に、筆記具で拡散剤入インクを塗布すると、導光フィルムの表面に拡散剤が付着した部分は、導光フィルム内を伝搬している光が拡散されて表面から出射することで明るくなり、一方、導光フィルム表面の拡散剤が付着していない部分は、光が出射しないことで暗いままであり、この暗い背景にインク塗布部が明るく輝くことで、導光フィルムの表面に描かれた字は、暗い場所、遠い場所からも良く見えることから、本発明によれば、視認性の高い筆記ボードを提供できる。
【発明を実施するための最良の形態】
【００１０】
以下、図面を参照して本発明の筆記ボードの実施形態を説明する。
図１及び図２は、本発明の筆記ボードの一実施形態を示し、図１は筆記ボード１の要部断面図、図２は筆記ボード１の正面図である。これらの図中、符号１は筆記ボード、２は導光フィルム、３は筆記面、４は光源、５は光、６は筆記具、７は拡散剤入インク、８は拡散剤、９は明部、１０は暗部である。
【００１１】
本実施形態の筆記ボード１は、端部に接続された光源４からフィルム内に入射した光５を伝搬する導光フィルム２と、該導光フィルム２の表面（筆記面３）に付着した際に導光フィルム２内を伝搬している光５を導光フィルム２内から外部に向けて出射させる屈折率を持った拡散剤８を含む拡散剤入インク７を筆記具本体内に塗布可能に収容した筆記具６とからなっている。
【００１２】
前記導光フィルム２は、図１に示すように、フィルム端面から導光フィルム２内に入射された光源４からの光が、フィルムの表裏面間で反射されながら、フィルム外部にほとんど漏れ出すことなく、導光フィルム２内を伝搬することができるような厚さの透明な合成樹脂フィルムを用いている。本実施形態において、導光フィルム２の材質としては、例えば、ウレタン樹脂、シリコーン樹脂などが挙げられる。これらの樹脂の屈折率は、合成に用いるモノマーの種類などによって、ある程度の幅があり、後述する拡散剤８の材質を勘案して、適当な屈折率の樹脂フィルムを選択使用することができる。
【００１３】
本発明において、使用する光源４の種類は限定されないが、本実施形態の筆記ボード１では、光源４として発光ダイオード（以下、ＬＥＤと記す。）を用いている。ＬＥＤは、小型、高効率の光源であり、光出射部も小さいことから、出射した光を導光フィルム２の端面からフィルム内に入射させるように接続することが容易である。図２の例示では、長方形をなす導光フィルム２の一方の短辺側に複数のＬＥＤを並べ、導光フィルム２の長手方向に向けて光を伝搬させているが、これに限定されることなく、導光フィルム２の任意の端面に任意の数のＬＥＤを接続して構成することができる。なお、使用するＬＥＤの発光色は、可視光であれば良く、特に限定されない。
【００１４】
前記導光フィルム２と光源４とからなる筆記ボード１の本体部は、筆記ボード１の基体となる種々の板や筐体などの構造体、或いは建物の壁面等に直接、接合して筆記ボード１を構成することができる。なお、本実施形態の筆記ボード１は、可撓性のある導光フィルム２を用いていることで、平面状の基体表面のみならず、曲面を有する基体の表面に沿わせて接合することができる。
【００１５】
前記筆記具６は、図１に例示した如く、先端に塗布部を有するフェルトペン型の筆記具を用いることができ、またこれに限らず、インクを筆記面３に塗布することが可能な各種タイプの筆記具、例えば、刷毛、毛筆、スプレー等であっても良い。
【００１６】
この筆記具６によって導光フィルム２の筆記面３に塗布される拡散剤入インク７としては、着色顔料に代えて拡散剤８の微粒子を配合した水性（又は油性）インクを用いることが望ましい。この拡散剤入インク７には、水などの分散媒、拡散剤８の他に、一般の水性インク等に配合される分散剤、増粘剤などの添加剤を配合することができる。
【００１７】
この拡散剤８は、導光フィルム２の筆記面３に塗布された際に、筆記面３の光伝搬状態、即ち、導光フィルム２をコアとし、周囲の空気をクラッドとするいわゆるエアクラッド構造を乱して、拡散剤８が付着した部分から光５を出射させるものが使用できる。本実施形態において、この拡散剤８としては、前記導光フィルム２の屈折率よりも高い屈折率を持つ微粒子を用いている。さらに、この拡散剤８の材質は、導光フィルム２がウレタン樹脂の場合はウレタン樹脂とし、シリコーン樹脂の場合はシリコーン樹脂とすることが好ましい。また、拡散剤８の屈折率は、導光フィルム２の屈折率が１．４程度である場合、屈折率が１．４５程度あれば十分である。
【００１８】
本実施形態の筆記ボード１は、光源４を駆動し、導光フィルム２内に光５を伝搬させておき、筆記具６で筆記面３に所望の文字や数字等を線描することで、描いた字が明るく輝くことで明瞭に視認することができる。
拡散剤入インク７が塗布されていない筆記面３は、前記エアクラッド構造によって導光フィルム２内を光が伝搬しており、光が出射しないことから、図中符号１０で示す暗部となっている。
一方、拡散剤入インク７が塗布された部分は、筆記面３上に屈折率の高い拡散剤８が付着することで、前記エアクラッド構造が乱され、導光フィルム２内を伝搬している光５が筆記面３から外に向けて出射してくるため、図中符号９で示す明部となる。
図２に示すように、暗部１０の中に拡散剤入インク７で線描した明部９が明るく輝くことで、導光フィルム２の表面に描かれた字は、暗い場所、遠い場所からも良く見えるので、本実施形態の筆記ボード１は、視認性が高いものとなる。
【００１９】
筆記面３に線描された字を消去する場合には、ホワイトボード用の消去具と同様の道具で線描した字（拡散剤８）を拭き取ることで、筆記面３から拡散剤８が除去され、明部９は再び暗部１０となる。
【００２０】
本実施形態の筆記ボード１は、オフィス、学校、研究機関等で使用されるホワイトボード、駅等の掲示板（伝言板）や広告パネル等に適用することができる。
【図面の簡単な説明】
【００２１】
【図１】本発明の筆記ボードの一実施形態を示す断面図である。
【図２】本発明の筆記ボードの一実施形態を示す正面図である。
【符号の説明】
【００２２】
１…筆記ボード、２…導光フィルム、３…筆記面、４…光源、５…光、６…筆記具、７…拡散剤入インク、８…拡散剤、９…明部、１０…暗部。
【図１】
2009000903.tif 000003
【図２】
2009000903.tif 000004